(57)【要約】      （修正有）【課題】各利用者の第一曲目の選曲時間を短縮し、スムーズな歌い出しが可能になり、効率的で速やかな選曲により、他の利用者に迷惑をおよぼさないカラオケシステムの提供。【解決手段】各利用者の利用時に、最初に歌いたい楽曲をカラオケ装置またはカラオケホスト装置に記録管理し、任意の利用者がＩＤ識別機能を使用してシステムにログインが認識され所定時間経過後に、当該利用者が最初に歌唱したい楽曲を、利用者に適宜のタイミングで推薦するシステムを構築した。【選択図】図１
2006208962.tif 000002
【特許請求の範囲】
【請求項１】
利用者ＩＤ識別機能および演奏予約機能を備えたカラオケ装置を利用したシステムであり、
（ア）  利用者を特定し、システムにログインするための利用者ＩＤ識別手段と、
（イ）  各利用者の利用時に、利用者ＩＤ毎、最初に歌いたい楽曲を利用者別第一選曲登録
管理部に登録し、管理するための第一選曲登録手段と、
（ウ）  利用者ＩＤによるシステムへのログインが認識されてから所定の経時後、任意の利
用者が最初の曲を選曲していない場合、前記利用者別第一選曲登録部を参照し、当該利用者が第一選曲に登録した楽曲を抽出し、適宜のタイミングで、その楽曲を選曲可能とする推薦情報を表示させるための推薦情報抽出表示手段と、
（エ）  前記各手段を総括的に制御するための中央制御手段と
を具備してなるカラオケシステム。
【請求項２】
前記カラオケ装置とネットワーク通信接続されたカラオケホスト装置とを主体とし、当該ホスト装置内に前記利用者別第一選曲登録部が設けられてなる請求項１記載の具備するカラオケシステム。
【発明の詳細な説明】
【技術分野】
【０００１】
本発明は、カラオケ装置の演奏予約時に最初に歌唱したい楽曲を抽出し、適宜のタイミングで選曲可能とするシステムに関する。
【背景技術】
【０００２】
現在のカラオケ装置は、利用者が演奏予約を行い楽曲が演奏されるようなシステムである。この楽曲予約は、利用者が目次本や楽曲検索機能付きリモコンを使用して行う。例えば、特許文献１では、各利用者に割り当てられた利用者ＩＤを使用して、全国的な利用履歴を反映した楽曲を利用者に推薦する技術が開示されている。
【０００３】
また、従来のカラオケシステムでの演奏予約に関し、一定時間内に演奏予約がない時に
は、おすすめ曲を推薦する技術が開示されている。例えば、特許文献２では、カラオケ演
奏装置に一定時間内に演奏予約がない時は、人気曲やジャンル別または歌手別の情報を利
用者に与える技術が開示されている。
【特許文献１】特開平１１−５２９６５号公報
【特許文献２】特開２０００−３３８９８３号公報
【発明の開示】
【発明が解決しようとする課題】
【０００４】
しかしながら、一般的に利用者は第一曲目の選曲を迷うことが多くなかなか歌い出しができなかったり、選曲に戸惑ったりする。そこで本発明は、各利用者の第一曲目の選曲時間を短縮し、スムーズな歌い出しが可能になり、効率的で速やかな選曲により、他の利用者に迷惑を及ばさないカラオケシステムの構築を目的とする。
【課題を解決するための手段】
【０００５】
上記課題を鑑み、本発明は各利用者の最初に歌いたい楽曲を、カラオケ装置またはカラオケホスト装置に記録管理し、利用時に、任意の利用者がＩＤ識別機能を使用してシステムにログインが認識され所定時間経過後に、当該利用者が最初に歌唱したい楽曲を、利用者に適宜のタイミングで推薦することにより上記課題を解決できることを見出し、本発明のカラオケシステムを想到した。
【０００６】
すなわち、本発明の請求項１記載のカラオケシステムは、利用者ＩＤの識別機能および演奏予約機能を備えたカラオケ装置であり、
（ア）  利用者を特定し、システムにログインするための利用者ＩＤ識別手段と、
（イ）  各利用者の利用時に、利用者ＩＤ毎、最初に歌いたい楽曲を利用者別第一選曲登録
部に登録し、管理するための第一選曲登録手段と、
（ウ）  利用者ＩＤによるシステムへのログインが認識されてから所定の経時後、任意の利
用者が最初の曲を選曲していない場合、前記利用者別第一選曲登録部を参照し、当該利用者が第一選曲に登録した楽曲を抽出し、適宜のタイミングで、その楽曲を選曲可能とする推薦情報を表示させるための推薦情報抽出表示手段と、
（エ）  前記各手段を総括的に制御するための中央制御手段と
を具備してなることを特徴とする。
【０００７】
前記カラオケ装置とネットワーク通信接続されたカラオケホスト装置とを主体とする請求項１記載の前記利用者別第一選曲登録部を具備するカラオケシステムであることを特徴とする。
【発明の効果】
【０００８】
本発明の請求項１記載のカラオケシステムによれば、カラオケ装置に登録された楽曲を使用することにより、利用者別の第一選曲を利用者別第一選曲登録部として管理することが可能となり、この利用者別第一選曲登録部と利用者ＩＤ識別手段を使用し、システムログインが認識されてから所定の経時後、利用者が最初の曲を選曲していない場合は、利用者別第一選曲登録部を参照し、当該利用者が最初に歌唱した楽曲を、適宜のタイミングで選曲可能とすることにより、各利用者の第一曲目の選曲時間を短縮し、スムーズな歌い出しが可能になり、効率的で速やかな選曲により、他の利用者に迷惑を及ぼさず、検索時間を短縮するといった効果を奏する。
【０００９】
さらに、本発明の請求項２記載のカラオケシステムによれば、カラオケホスト装置内の利用者別第一選曲登録部に利用者が最初に歌唱したい楽曲を、カラオケホスト装置にネットワーク通信接続された如何なるカラオケ装置からも登録できると共に、如何なるカラオケ装置へもカラオケホスト装置に登録された情報を還元することにより、どこのカラオケ装置からでも同じサービスが受けられるといった効果を奏する。
【発明を実施するための最良の形態】
【００１０】
以下、本発明のカラオケシステムについての最適な実施例を挙げ、先ず、図１に示すカラオケシステムを構成するカラオケ装置のブロック構成図について説明する。
【実施例１】
【００１１】
図１は、本発明のカラオケシステムを構成するカラオケ装置のブロック構成図である。本実施例におけるカラオケ装置（Ｐ）は、主に中央制御手段（２）と、これに接続される各種機能手段およびハードディスク（４）などから構成される。ここでカラオケ装置（Ｐ）における各構成要素について説明する。先ず、通信制御手段（１２）は、ＡＤＳＬ回線、ＩＳＤＮ回線、一般電話回線などのネットワーク通信回線を介して行われるカラオケホスト装置との通信を制御するためのものである。また、利用者ＩＤ識別手段（３）にて認識された利用者のＩＤを、そのログインからログアウトまでを総括管理するもので、この利用者ＩＤ識別手段（３）によって、一度、その利用者ＩＤをもってログインした利用者が所定の操作処理をした場合、その利用者が特定される。なお、利用者ＩＤの識別については、ＩＤカードを用いることに限らず、例えば、パスワードの入力や指紋や音声などの生体識別機能に依るものであっても構わない。
【００１２】
次に、音声生成プロセスについて説明する。音源（６）は中央制御手段（２）が実行するシーケンサ（１４）の処理によって入力され、ミキサ（７）は音源（６）が発生した複数の楽音信号やカラオケマイクとＡ/Ｄコンバータ（９）を介して入力された歌唱者の歌唱音声信号を適当なバランスでミキシングする。ミキシングされたデジタル音声信号はサウンドシステム（８）に入力される。このサウンドシステム（８）はパワーアンプを備えており、入力されたデジタル信号をアナログ信号に変換して増幅し、スピーカ（ＳＰ）から楽音と歌唱音声信号を放音する。
【００１３】
ハードディスク（４）に記録されている楽曲データ（１８）における映像データは、ＭＰＥＧ形式にエンコードされており、中央制御手段（２）が実行する背景映像再生手段（図示省略）により再生処理を行い、これを読み出してＭＰＥＧデコーダ（１０）に入力する。このＭＰＥＧデコーダ（１０）は入力されたＭＰＥＧデータをＮＴＳＣの映像に変換し合成回路（１１）に入力し、この合成回路（１１）は、背景映像の映像信号上にテロップや採点ＯＳＤを合成し、合成された映像信号は表示手段（Ｄ）に表示される。
【００１４】
そして、リモコン装置（Ｒ）は、楽曲検索機能あるいは楽曲予約機能を備えた多機能カラオケリモコンであり、このリモコン装置（Ｒ）をもって、利用者は赤外線信号によりカラオケ装置本体に所望の演奏予約コマンドを転送する。例えば、リモコン装置（Ｒ）にて楽曲コードが入力されると、カラオケ楽曲のリクエストであるとして、ＲＡＭ（５）にある予約待ち行列に楽曲コードを演奏予約する。
【００１５】
このリモコン装置（Ｒ）を使用して、利用者が最初に歌唱したい楽曲を第一選曲登録手段（１６）にて登録することにより、利用者別第一選曲登録部（２１）に設けられた、利用者別第一選曲登録テーブル（Ｔ）に管理される。利用者がＩＤ識別機能を使用してログインが認識され所定時間経過後に、利用者が最初の楽曲を予約していない場合に、この利用者別第一選曲登録テーブル（Ｔ）で管理されている楽曲を、推薦情報抽出表示手段（１５）を使用してリモコン装置（Ｒ）或いは、表示手段（Ｄ）に表示する。
【００１６】
このリモコン装置（Ｒ）は、その内蔵二次電池に充電するための専用架台が必要となるが、この専用架台には、充電手段の他、利用者ＩＤを識別し、当該利用者のログインを識別するためのＩＤカード読み取り／書き込み装置（３）が付帯されている。この読み取り／書き込み装置（３）は非接触のＩＣモジュールを搭載したカードを対象とする装置であり、ＩＤカードに紐付けされた利用者ＩＤを特定するものである。勿論、本実施例の他に、例えば、ＩＣモジュールを携帯電話に内蔵させたＩＣ機能付き携帯電話や、近距離無線通信手段であるBluetooth機構を有する携帯電話、あるいはパスワードの入力装置や指紋や声紋などの生体識別機能に依る機構の利用者識別手段を利用しても構わない。なお、このカラオケ装置と通信したり、さらには、ＶＰＮ（Virtual Private Network）を介してカラオケホスト装置と通信したりできる。
【００１７】
次に、図２に示す、利用者別第一選曲登録テーブルの概略図と、図３に示す、第一選曲登録インタフェース表示画面に基づき、本発明における第一選曲として登録した楽曲の表示手順について説明する。
【００１８】
図２は、利用者別第一選曲登録部に設けられた、第一選曲を管理したテーブルである。この利用者別第一選曲登録テーブル（Ｔ）は、各利用者の利用時に、利用者ＩＤ毎、最初に歌いたい楽曲を管理するためのもので、その構成要素としては、利用者を特定するための「利用者ＩＤ」フィールド（ｆ１）と、これに紐付けして、第一選曲のみを管理する「楽曲コード」フィールド（ｆ２）と、楽曲を登録した日時を示す「登録日時」フィールド（ｆ３）などからなる。
【００１９】
次に図３は利用者に対する、第一選曲登録インタフェース表示画面である。利用者はＧＵＩ操作パネル（Ｒａ）を使用してカラオケ楽曲の検索や予約などを入力操作できる。図１に示す利用者ＩＤ識別手段（３）にて特定された利用者に基づく利用者表示部（Ｒｂ）と、利用者が登録した第一選曲を表示する、メニューアイテムアイコン（Ｒｃ）などが設けられており、当該利用者がこのアイコンを使用することにより、カラオケ装置の予約待ち行列に利用者別にこの楽曲が記録される。なお、上記実施例は最初に歌唱したい楽曲を一曲のみ登録しているが、本発明では複数でも登録可能であり、複数の推薦情報を表示し、そこから利用者が選択できる様に構成されている。
【００２０】
次に、図４に示す、カラオケリモコン装置の外観斜視図と、図５に示す、利用者別ログイン・ログアウト指示のインタフェース表示画面に基づき、各利用者が最初に歌唱したい楽曲の登録手順について説明する。
【００２１】
図４は、ＧＵＩ操作パネル（Ｒａ）が備えられたリモコン装置（Ｒ）の外観斜視図であり、利用者ＩＤ登録を行う画面である。利用者ＩＤ識別手段にてシステムログインすると、図５に示すように、お客様メンバーズゲート画面（４０）内に当該利用者のゲートアイコン(４０ａ)が形成される。その後、当該利用者はゲートアイコン（４０ａ）を選択し最初に歌いたい楽曲を指定することにより、その楽曲をカラオケ装置およびカラオケホスト装置に登録する。
【００２２】
次に、図６に示す、本発明のカラオケシステムの全体構成図と、図７に示す、本発明のカラオケシステムを構成するカラオケホスト装置のブロック構成図に基づき、本発明におけるカラオケ装置とカラオケホスト装置との関係と共に当該カラオケホスト装置に設けられた利用者別第一選曲登録部について説明する。
【実施例２】
【００２３】
図６は、本発明のカラオケシステムのネットワーク構成図である。本実施例のカラオケシステム（１）は、カラオケホスト装置（Ｈ）と、ネットワーク通信回線（Ｎ）、インターネット網（Ｎｉ）、さらには、ＶＰＮを介して通信接続され、利用者ＩＤの識別機能を有したカラオケ装置（Ｐ）を主体としてなる。詳しくは、カラオケホスト装置（Ｈ）は大容量の記憶手段を備え、この記憶手段には各カラオケ装置（Ｐ,Ｐ・・・・）から収集した利用者ＩＤ毎の最初に歌唱した楽曲が記録されている。一方、カラオケ装置（Ｐ）は、カラオケホスト装置（Ｈ）からダウンロードされた楽曲データを読み出して音源に供給することによりカラオケ演奏の楽音を形成する。
【００２４】
次に、図７は本発明のカラオケシステムを構成するカラオケホスト装置のブロック構成図である。カラオケホスト装置（Ｈ）は、通信制御インタフェース（３０）を使用してカラオケ装置（Ｐ）と通信を行い、中央制御手段（３１）の指示により、ハードディスク（３２）には、前述したカラオケ装置と同様に、利用者ＩＤ（３３）、利用者別第一選曲登録テーブル（Ｔ）を備えた利用者別第一選曲登録部（３４）が設けられている。また、カラオケホスト装置より保存したデータをカラオケ装置にダウンロードすることも可能である。これにより、カラオケホスト装置内の利用者別第一選曲登録部に利用者が最初に歌唱したい楽曲を、カラオケホスト装置にネットワーク通信接続された如何なるカラオケ装置からも登録できると共に、如何なるカラオケ装置へもカラオケホスト装置に登録された情報を還元することにより、どこのカラオケ装置からでも同じサービスが受けられる
【００２５】
以上、説明したように、本発明のカラオケシステムによれば、システムログインが認識
されたてから所定の経時後、最初に歌いたい楽曲を登録することにより利用者は第一曲目の選曲時間を短縮し、選曲に戸惑ったり、迷ったりせずに、スムーズな歌い出しが可能となり、検索時間の短縮が図れる。
【図面の簡単な説明】
【００２６】
【図１】カラオケシステムを構成するカラオケ装置のブロック構成図
【図２】利用者別第一選曲登録テーブルの概略図
【図３】第一選曲登録インタフェース表示画面
【図４】カラオケリモコン装置の外観斜視図
【図５】利用者別ログイン・ログアウト指示のインタフェース表示画面
【図６】本発明のカラオケシステムの全体構成図
【図７】本発明のカラオケシステムを構成するカラオケホスト装置のブロック構成図
【符号の説明】
【００２７】
Ｐ        カラオケ装置
２,３１   中央制御手段
３        ＩＤカード読み取り／書き込み装置（利用者ＩＤ識別手段）
４,３２   ハードディスク
１５     
推薦情報抽出表示手段
１６     
第一選曲登録手段
１９,３３ 利用者ＩＤ
２１,３４ 利用者別第一選曲登録部
Ｔ        利用者別第一選曲登録テーブル
Ｒ        リモコン装置
【図１】
2006208962.tif 000003
【図２】
2006208962.tif 000004
【図３】
2006208962.tif 000005
【図４】
2006208962.tif 000006
【図５】
2006208962.tif 000007
【図６】
2006208962.tif 000008
【図７】
2006208962.tif 000009